(57)【要約】【課題】小形な断路器を得る。【解決手段】負荷側端子２７に連結軸３６を介して回動自在に連結された可動ブレード３８の周囲を絶縁材からなる操作部３８により囲み、駆動源により回転駆動される操作部３８の操作軸３８ａを連結軸３６と同一軸線上に位置させ、駆動源により操作軸３８ａを介して操作部３８を回動させ、操作部３８の押圧により可動ブレード２９を回動させる。又、操作部３８には、可動ブレード２９の相関において相関部分３８ｂを設ける。【選択図】図１
2005216573.tif 000002
【特許請求の範囲】
【請求項１】
電源側に支持された固定コンタクトと、接地側に支持された接地コンタクトと、負荷側端子に連結軸を介して回動自在に支持された可動ブレードと、絶縁材からなり、可動ブレードの周囲を囲むとともに、駆動源により回転駆動される操作軸を有し、該操作軸が連結軸と同一軸線上に位置する操作部とを備え、操作軸を回転して操作部の押圧により可動ブレードを回動させ、各コンタクトと接触させ、あるいは接触させないようにしたことを特徴とする断路器。
【請求項２】
操作部は、各相可動ブレードの相間において相間部分を設けたことを特徴とする請求項１記載の断路器。
【発明の詳細な説明】
【技術分野】
【０００１】
この発明は、キュービクル等に使用する断路器、特にその操作機構に関するものである。
【背景技術】
【０００２】
図２及び図３は特許文献１に示された従来の開閉装置の縦断正面図及び縦断側面図を示し、１は真空インタラプタを用いた遮断器、２，３は接地機構付きの負荷開閉器、４は接地機構付きの断路器、５は容器である。遮断器１は容器５の底部上に絶縁フレーム６を介して配置された支持導体７上に固定電極側が下になるように取り付け、その上に絶縁板８、リングコンタクト９及び絶縁ロッド１０を直線的に配置し、その上端に引き外しばねを含む操作装置１１を連結している。リングコンタクト９には遮断器１の可動リードが摺接し、電気的接続関係を保持している。このリングコンタクト９の周囲には導電性の支持板１２を取り付け、その上面に３位置形の接地機構付き断路器４の固定コンタクト４Ａを配設している。支持導体７の両側には、接地機構付きの負荷開閉器２，３の固定コンタクト２Ａ，３Ａを取り付けている。負荷開閉器２，３の可動ブレード２Ｂ，３Ｂは、絶縁フレーム６の両側の容器５の底部に配置した受電側のブッシング１３，１４の上部に回動自在に支持している。負荷開閉器２，３の接地用固定コンタクト２Ｃ，３Ｃは容器５側に設置している。
【０００３】
又、容器５の奥側の底部に負荷側のブッシング１５を配置し、その上部と断路器４の可動ブレード４Ｂの一端が回動自在に支持された端子２４とを接続導体１６により接続している。断路器４の接地用固定コンタクト４Ｃは、容器５側に設置されている。負荷開閉器２，３の可動ブレード２Ｂ，３Ｂには操作装置１７，１８を、断路器４の可動ブレード４Ｂには操作装置１９をそれぞれ連結している。容器５の下方にはケーブル室２０を付設し、内部でブッシング１３〜１５と電力ケーブルとの接続を行うようにしている。ケーブル室２０は仕切板２１，２２によって三つに区画し、容器５の前面には操作・制御箱２３を配置している。
【０００４】
図４及び図５は他の従来の断路器の要部正面図及び要部斜視図を示し、２５は接地金属からなる操作軸、２６は操作軸２５に取り付けられた接地コンタクト、２７は負荷側ブッシング２８に取り付けられた負荷側端子であり、負荷側ブッシング２８は絶縁ガス封入タンク３５に取り付けられている。２９は一端が負荷側端子２７に連結軸３６を介して回動自在に連結された通電部である可動ブレード、３０は両端が可動ブレード２９及び接地コンタクト２６に回動自在に連結された絶縁材からなるリンクである。又、３１は電源側の母線であり、母線３１には消イオンシート３２を有するアーク室３３が取り付けられるとともに、固定コンタクト３４が取り付けられる。そして、駆動源により操作軸２５を回転させることにより、接地コンタクト２６及びリンク３０を介して可動ブレード２９が回動し、固定コンタクト３４と接触してオン位置となり、また接地コンタクト２６と接触して接地位置となり、両者と接触しないでオフ位置となる。
【特許文献１】特開平８−１６８１２５号公報
【発明の開示】
【発明が解決しようとする課題】
【０００５】
上記した従来の断路器においては、操作軸２５及び接地コンタクト２６は接地電位となるため、可動ブレード２９との間に電圧に応じて絶縁距離Ｌをとる必要があり、キュービクル内の限られたスペースにおいては、絶縁距離Ｌをとるために断路器の構造が必要以上に大きくなり、効率の悪い配置となった。
【０００６】
この発明は上記のような課題を解決するために成されたものであり、小形な断路器を得ることを目的とする。
【課題を解決するための手段】
【０００７】
この発明の請求項１に係る断路器は、電源側に支持された固定コンタクトと、接地側に支持された接地コンタクトと、負荷側端子に連結軸を介して回動自在に支持された可動ブレードと、絶縁材からなり、可動ブレードの周囲を囲むとともに、駆動源により回転駆動される操作軸を有し、該操作軸が連結軸と同一軸線上に位置する操作部とを備え、操作軸を回転して操作部の押圧により可動ブレードを回動させ、各コンタクトと接触させ、あるいは接触させないようにしたものである。
【０００８】
請求項２に係る断路器は、操作部が、各相可動ブレードの相間において相間部分を設けたものである。
【発明の効果】
【０００９】
以上のようにこの発明の請求項１によれば、操作部を絶縁材により構成するとともに、操作部の操作軸を可動ブレードの負荷側端子との連結軸と同一軸線上に位置させ、この操作部の押圧により可動ブレードを回動するようにしており、可動ブレードと操作部との絶縁距離をとる必要がなく、また操作部は絶縁バリアとして作用するので、コンタクト等の充電部との絶縁距離を小さくすることができ、断路器を小形化することができる。
【００１０】
請求項２によれば、操作部を、各相可動ブレードの相間に相関部分を設けており、この操作部の相間部分も絶縁バリアとなり、相間距離を小さくすることができ、やはり断路器を小形化することができる。
【発明を実施するための最良の形態】
【００１１】
以下、この発明を実施するための最良の形態を図面とともに説明する。図１はこの発明による断路器の要部斜視図を示し、３４は電源側に支持された固定コンタクト、３７は接地側に支持された接地コンタクト、２９は一端が負荷側端子２７に連結軸３６を介して回動自在に支持された可動ブレードである。又、３８は箱状の絶縁材からなる操作部であり、各相の可動ブレード２９の周囲を囲むとともに、相間にも相間部分３８ｂが設けられる。操作部３８は駆動源により回転駆動される操作軸３８ａを有し、操作軸３８ａは連結軸３６と同一軸線上に位置する。
【００１２】
上記構成において、駆動源により操作部３８の操作軸３８ａを回転駆動すると、操作部３８が回動し、操作部３８の押圧により可動ブレード２９が回動する。これによって、可動ブレード２９は固定コンタクト３４と接触するオン位置、あるいは接地コンタクト３７と接触する接地位置、あるいは両者と接触しないオフ位置となる。
【００１３】
上記実施最良形態においては、可動ブレード２９の負荷側端子２７との連結軸３６と同一軸線上に位置する操作軸３８ａを有する操作部３８の押圧により可動ブレード２９を回動操作しており、操作部３８を絶縁材により形成したので、操作部３８と可動ブレード２９との絶縁距離をとる必要がなく、また操作部３８が絶縁バリアとなるので、周囲のコンタクト３４，３７等の充電部との絶縁距離を小さくすることができ、断路器を小形化することができる。又、操作部３８には各相の可動ブレード２９間において相間部分３８ｂを設けたので、この相間部分３８ｂも絶縁バリアとなり、相間距離を小さくすることができ、断路器を小形化することができるとともに、この相間部分３８ｂを設けたことによって、操作部３８の強度を高めることができる。
【図面の簡単な説明】
【００１４】
【図１】この発明による断路器の要部斜視図である。
【図２】特許文献１による従来の開閉器の縦断正面図である。
【図３】特許文献１による従来の開閉器の縦断側面図である。
【図４】従来の断路器の要部正面図である。
【図５】従来の断路器の要部斜視図である。
【符号の説明】
【００１５】
２７…負荷側端子
２９…可動ブレード
３１…電源側端子
３４…固定コンタクト
３６…連結軸
３７…接地コンタクト
３８…操作部
３８ａ…操作軸
３８ｂ…相間部分
【図１】
2005216573.tif 000003
【図２】
2005216573.tif 000004
【図３】
2005216573.tif 000005
【図４】
2005216573.tif 000006
【図５】
2005216573.tif 000007